(57)【要約】【課題】コントラスト等を調節する際に映像情報の階調性を損なうことなく高品質な映像を表示する平面表示装置及び方法とテレビジョン装置を提供する。【解決手段】コントラスト等の映像パラメータの値に応じて、発振周波数を変化させてクロックを発生するクロック発生部１２，１６，１７と、与えられた映像信号に基づき、クロックＣＬＫに応じて決定したオン期間をもつパルス出力Ｐ１〜ＰＮを出力するＸドライバ１３と、このパルス出力を複数の電極の各列にそれぞれ供給されるマトリックス状の複数電極をもつマトリックス・ディスプレイ・パネル１５とを有する平面表示装置であり、階調性が損なわれない映像表示が可能となる。【選択図】　　図１
2004037559.tif 000002
【特許請求の範囲】
【請求項１】
設定された映像パラメータの値に応じて、発振周波数を変化させてクロックを発生するクロック発生手段と、
与えられた映像信号に基づき、前記クロック発生手段が発生したクロックに応じて決定したオン期間をもつパルス出力を出力するＸドライバ手段と、
前記映像信号の水平同期信号に基づき走査信号を出力するＹドライバ手段と、マトリックス状に複数の電極が設けられ、前記Ｘドライバ手段から前記パルス出力を縦方向の各列の前記複数の電極にそれぞれ供給され、前記Ｙドライバ手段から前記走査信号を横方向の各行の前記複数の電極にそれぞれ供給されることで、前記映像パラメータの値に応じた映像を表示するマトリックス・ディスプレイ・パネルと、
を具備することを特徴とする平面表示装置。
【請求項２】
前記クロック発生手段は、映像のコントラストを調整するコントラスト値に応じて、発振周波数を変化させて前記クロックを発生することを特徴とする請求項１記載の平面表示装置。
【請求項３】
前記クロック発生手段は、前記映像信号のゲインを調整するゲイン値に応じて、発振周波数を変化させて前記クロックを発生することを特徴とする請求項１記載の平面表示装置。
【請求項４】
前記クロック発生手段は、映像の輝度を自動的に制限するべく生成される自動輝度制限値に応じて、発振周波数を変化させて前記クロックを発生することを特徴とする請求項１記載の平面表示装置。
【請求項５】
前記クロック発生手段は、映像のコントラストを調整するコントラスト値、ゲインを調整するゲイン値、輝度を自動的に制限するべく生成される自動輝度制限値のそれぞれに応じて予め用意された変換テーブルを用いて一つの変換値を決定し、この変換値に基づいて発振周波数を変化させてクロックを発生することを特徴とする請求項１記載の平面表示装置。
【請求項６】
前記クロック発生手段は、映像のコントラストを調整するコントラスト値を下げることにより、前記クロックの発振周波数を上げ、これを前記Ｘドライバ手段に供給し、
これにより前記Ｘドライバ手段は、前記与えられた映像信号の階調情報量を損なうことなく、前記下げられたコントラスト値に適合した前記オン期間をもったパルス出力を前記マトリックス・ディスプレイ・パネルに供給し、
これにより前記マトリックス・ディスプレイ・パネルは、階調情報量を損なうことなく前記下げられたコントラスト値で映像を表示することを特徴とする請求項１記載の平面表示装置。
【請求項７】
輝度色差信号を受け、これを色信号に変換して前記与えられた映像信号として出力する変換回路を更に有することを特徴とする請求項１記載の平面表示装置。
【請求項８】
放送信号を受け復調処理を施して、前記与えられた映像信号として供給するチューナを更に有することを特徴とする請求項１記載の平面表示装置。
【請求項９】
設定された映像パラメータの値に応じて、発振周波数を変化させてクロックを発生するクロック発生工程と、
与えられた映像信号に基づき、前記クロック発生工程で発生したクロックに応じて決定したオン期間をもつパルス出力を、マトリックス状に複数の電極が設けられるマトリックス・ディスプレイ・パネルの、縦方向の各列の前記複数の電極にそれぞれ供給する供給工程と、
前記マトリックス・ディスプレイ・パネルの横方向の各行の前記複数の電極に、前記映像信号の水平同期信号に基づき走査信号を供給する供給工程と、
を具備することを特徴とする平面表示方法。
【請求項１０】
前記クロック発生工程は、映像のコントラストを調整するコントラスト値に応じて、発振周波数を変化させてクロックを発生することを特徴とする請求項９記載の平面表示方法。
【請求項１１】
前記クロック発生工程は、映像のコントラストを調整するコントラスト値、ゲインを調整するゲイン値、輝度を自動的に制限するべく生成される自動輝度制限値のそれぞれに応じて予め用意された変換テーブルを用いて一つの変換値を決定し、この変換値に基づいて発振周波数を変化させてクロックを発生することを特徴とする請求項９記載の平面表示方法。
【請求項１２】
放送信号を受け復調処理を施して、映像信号として出力するチューナと、
設定された映像パラメータの値に応じて、発振周波数を変化させてクロックを発生するクロック発生手段と、
前記チューナからの映像信号に基づき、前記クロック発生手段が発生したクロックに応じて決定したオン期間をもつパルス出力を出力するＸドライバ手段と、前記映像信号の水平同期信号に基づき走査信号を出力するＹドライバ手段と、マトリックス状に複数の電極が設けられ、前記Ｘドライバ手段から前記パルス出力を前記複数の電極の各列にそれぞれ供給され、前記Ｙドライバ手段から前記複数の電極の各行に前記走査信号をそれぞれ供給されることで、前記映像パラメータの値に応じた映像を表示するマトリックス・ディスプレイ・パネルと、
を具備することを特徴とするテレビジョン装置。
【発明の詳細な説明】
【０００１】
【発明の属する技術分野】
この発明は、フラットパネルディスプレイ等の平面表示装置に関し、特に階調情報を損なうことなくコントラスト等を調整できる平面表示装置及び平面表示方法とこれを用いたテレビジョン装置に関する。
【０００２】
【従来の技術】
最近、様々な形態の平面表示装置が開発され普及してきている。これらの平面表示装置においては、コントラスト等の映像パラメータに応じて、映像情報を適宜調節した上で表示する必要がある。これにより、設定されたコントラスト等のパラメータ値に応じて映像信号が処理され、所望の調整が施された映像がディスプレイに表示される。
【０００３】
これに類似する平面表示装置の従来技術として、例えば、特開２０００−３３０５０５号公報があり、ここでは、「表示装置の輝度レベル制御装置および輝度レベル制御方法」として、入力されたシーンチェンジに応じた輝度レベルが選択されて映像を表示する技術が開示されている。
【０００４】
しかし、このような表示装置において、映像情報を調整するにあたり、映像情報に乗算処理を行うことにより映像情報の輝度等を調整する際に、映像情報がもっている階調性が劣化するという問題がある。
【０００５】
【発明が解決しようとする課題】
すなわち、映像信号に応じた映像を表示画面に表示する際に、そのまま映像信号に応じた映像を表示するのではなく、例えば、輝度やコントラストを調整する場合、映像信号に乗算処理を行うと、その映像信号がもっている階調性が劣化するという問題がある。具体的には、映像データが８ｂｉｔで２５６階調のダイナミックレンジがある場合でも、これを３割絞った時には、１７９階調の表示能力へと低下してしまう。
【０００６】
本発明は、コントラスト等を変えた場合でも映像情報の階調性を損なうことなく高品質な映像を表示する平面表示装置及び平面表示方法とこれを用いたテレビジョン装置を提供することを目的とする。
【０００７】
【課題を解決するための手段】
本発明は、上記課題を解決するべく、設定された映像パラメータの値に応じて、発振周波数を変化させてクロックを発生するクロック発生手段と、与えられた映像信号に基づき、前記クロック発生手段が発生したクロックに応じて決定したオン期間をもつパルス出力を出力するＸドライバ手段と、前記映像信号の水平同期信号に基づき走査信号を出力するＹドライバ手段と、マトリックス状に複数の電極が設けられ、前記Ｘドライバ手段から前記パルス出力を前記複数の電極の各列にそれぞれ供給され、前記Ｙドライバ手段から複数の電極の各行に前記走査信号をそれぞれ供給されることで、前記映像パラメータの値に応じた映像を表示するマトリックス・ディスプレイ・パネルとを具備することを特徴とする平面表示装置である。
【０００８】
本発明に係る平面表示装置においては、上述したように、映像パラメータである例えばコントラスト値を調節した場合でも、階調性を損なうことのない映像表示を行うことができる。すなわち、例えば、コントラスト値を下げた場合、これを映像信号に乗算処理を施すことで調整すると、映像信号に例えば０．５を掛け合わせて出力された演算処理済の信号は、階調情報がほぼ半減してしまう。これはすなわち、映像の濃淡表現が低下することとなり、例えば、球形である人間の顔等も濃淡情報が低下することでコントラストを下げる前の映像よりも平板な顔に見えてくるという不具合がある。
【０００９】
本発明では、コントラスト等の調整が行われた時、映像信号はそのままに、ＰＷＭ（Ｐｕｌｓｅ　Ｗｉｄｔｈ　Ｍｏｄｕｌａｔｉｏｎ）発生回路に与えられるクロックの周波数を上げることにより、結果的にパルス出力のオン期間を短くすることで、コントラスト調節を行う。これにより、映像信号を変えることなく、コントラスト調整が可能となり、映像信号の階調性すなわち濃淡表現が低下することはない。従って、映像情報の階調性を保ちながら、コントラスト調整、又、これ以外にも、ゲイン調整や自動輝度制限ＡＢＬ（Ａｕｔｏ　Ｂｒｉｇｈｔｎｅｓｓ　Ｌｉｍｉｔｅｒ）を行うことができるので、高画質の映像表示が可能な平面表示装置を提供することができる。
【００１０】
【発明の実施の形態】
以下、図面を参照してこの発明の実施形態の平面表示装置及び平面表示方法とこれを用いたテレビジョン装置を詳細に説明する。
【００１１】
＜本発明に係る平面表示装置＞
本発明に係る平面表示装置の一例のブロック図を図１に示す。又、図２は、本発明に係る平面表示装置のＸドライバの一例の構造を示すブロック図、図３は、ＰＷＭ発生回路の一例の構造を示すブロック図、図４は、ＰＬＬ回路の一例の構造を示すブロック図、図５は、マトリックス・ディスプレイ・パネルの変換テーブルの働きの一例を示すグラフ、図６は、ＰＬＬ回路の動作の一例を示すタイミングチャートである。
【００１２】
図１において、本発明に係る平面画像装置は、映像信号が供給され所定の処理を施す映像処理回路１１を有している。映像信号は、後述するチューナやテレビ信号復調回路からの輝度信号、色差信号であり、この輝度色差信号が色変換回路１８で変換された映像信号である赤緑青（ＲＧＢ）の３原色信号であり、この３原色信号は直接供給されるものであっても良い。これらの映像信号は、映像処理回路１１において、解像度を変換したり、輪郭強調などの絵作り処理を施されたりする。
【００１３】
（設定部、変換テーブル）
更に、コントラスト、ゲイン、自動輝度制限値ＡＢＬ（Ａｕｔｏ　Ｂｒｉｇｈｔｎｅｓｓ　Ｌｉｍｉｔｅｒ　Ｖａｌｕｅ）などの映像信号の振幅を可変させる映像パラメータを設定する設定部１６を有している。ここで、コントラストは、図８で後述するテレビジョン装置の正面調整ボタンや図示しないリモコン等からユーザにより設定が行われる、映像のコントラスト調整のための振幅比である。ゲインは、ＲＧＢ毎の比率を変え、ホワイトバランスを取るための比である。ＡＢＬは、自動輝度制限値の略であり、図示しないＡＰＬ（Ａｖｅｒａｇｅ　Ｐｉｃｔｕｒｅ　Ｌｅｖｅｌ）検出回路から求められる映像の平均輝度をＡＢＬにより維持することによって、画面の見易さや消費電力を抑えるものであり、映像の輝度変化に応じて変化していく値である。
【００１４】
これらの映像パラメータの変化に応じて、クロックの変換値を求めるために用意されたテーブルが変換テーブル１７であり、図５の（ａ）、（ｂ）、（ｃ）にそれぞれ示すように、コントラストやゲインやＡＢＬが変化するに応じて、標準のクロック２５５が変化することとなる。このクロックの変換値は、実際には、コントラスト等の一つの映像パラメータで決定するのではなく、コントラスト、ゲイン、ＡＢＬ、又はその他のパラメータの変化に応じて、総合的に一つの値が決定されるものである。
【００１５】
（ＰＬＬ）
このようなクロックの変換値を受けて、コントラスト等の変化に応じたクロックを生成するのが、ＰＬＬ１２である。図４を用いて、ＰＬＬ１２を説明すると、ＰＬＬ１２は、電圧制御型発信器ＶＣＯ３２を有しており、この出力が分周器３３に供給される。又、分周器３３の出力が供給される位相比較器３１を有している。
【００１６】
分周器３３は、電圧制御型発信器ＶＣＯ３２からの出力を受けるカウンタ３４と、カウンタ３４からの出力を受けるコンパレータ３５を有し、上述した変換テーブル１７からの変換値を受けてこれを保持するデータラッチ３６を有しており、データラッチ３６からの出力がコンパレータ３５に入力される。コンパレータ３５の出力は、先の位相比較器３１に供給され、比較結果をＶＣＯに出力して、クロックＣＬＫが発生される。
【００１７】
又、水平同期信号Ｈｓｙｎｃが、位相比較器３１と分周器３３のカウンタ３４に供給される。
【００１８】
このような構成により、ＰＬＬ１２では、コンパレータ３５でカウンタ３４の値とデータラッチ３６からの値の大小を比較し、一致した場合に一致パルスを出力する。この一致パルスを受ける位相比較器３１は、水平同期信号Ｈｓｙｎｃとコンパレータ３５からの一致パルスの周波数の大小に応じた電圧をＶＣＯ３２へ出力する。
【００１９】
ＶＣＯ３２から位相比較器３１まではフィードバック回路を構成しており、入力の水平同期周波数Ｈｓｙｎｃが高ければ、ＶＣＯ３２の周波数を上げ、水平同期周波数Ｈｓｙｎｃが低ければＶＣＯ３２の周波数を下げるように動く。これにより、常に水平同期周波数Ｈｓｙｎｃの［ＭＡＸ値（２５５）×変換値］倍の周波数のクロックＣＬＫを発振することになる。
【００２０】
従って、先のコントラスト・ゲイン・ＡＢＬ設定部１６の設定に応じた周波数を有するクロックＣＬＫが、ＰＬＬ１２から出力されることとなる。
（マトリックス・ディスプレイ・パネルと各ドライバ）
マトリックス・ディスプレイ・パネル１５は、液晶やプラズマディスプレイ等が実用化されており、この実施形態においては、ＦＥＤ（Ｆｉｅｌｄ　Ｅｍｉｓｓｉｏｎ　Ｄｉｓｐｌａｙフィールド・エミッション・ディスプレイ）やＥＬ（Ｅｌｅｃｔｒｏ　Ｌｕｍｉｎｅｓｃｅｎｃｅエレクトロ・ルミネッセンス）等、階調をパルスのオンしている時間で制御するタイプで説明する。通常は、横方向に数百から数千の画素が、縦方向に数十から数百程度の画素を有し、それぞれの画素に映像信号と走査信号を供給するためのマトリックス配線が数百本交差して設けられている。
【００２１】
次に、Ｘドライバ１３、Ｙドライバ１４の構造と働きを説明する。図１及び図２において、Ｘドライバ１３は、マトリックス・ディスプレイ・パネル１５の縦方向の信号電極に映像を画素毎に分解し、それぞれの画素の輝度に応じたパルス出力Ｐ１〜Ｎを出力する。
【００２２】
又、Ｙドライバ１４は、マトリックス・ディスプレイ・パネルの走査電極に、書き込み指示パルスである走査信号を１水平走査期間に１ラインずつ、画面上部から順にオンしている。
【００２３】
（Ｘドライバ）
次に、Ｘドライバを図２及び図３を用いて詳細に説明する。Ｘドライバ１３は、映像データの１画素分を保持するデータラッチ２１を有しており、この例では８ｂｉｔのデジタル値を保持する形態を示している。このラッチ２１はマトリックス・ディスプレイ・パネル１５の水平画素分必要であり、水平に６４０のＲＧＢ分、１９２０画素分設け、映像信号の１水平走査期間の開始時期にマトリックス・ディスプレイ・パネル１５の左端の部分に相当するラッチ２１から映像データのサンプリング保持を開始し、水平走査期間の終了時にマトリックス・ディスプレイ・パネル１２の右端にラッチされるべく（図示しない）書き込みタイミングで順にサンプリングされる。
【００２４】
更に、ＰＬＬ１２から供給されるクロックＣＬＫが供給されるカウンタ３４を有しており、これは、水平同期信号Ｈｓｙｎｃでリセットされ、ＰＬＬ１２からのクロックＣＬＫをカウントする。
【００２５】
更に、先の複数のラッチ２１にそれぞれ接続され、カウンタ２４からの値に基づいて、データラッチ２１に保持された映像信号の各画素の輝度に応じたパルス幅を出力する複数のＰＷＭ発生回路２２を有している。更に、複数のＰＷＭ発生回路２２の出力は、複数の出力バッファ２３にそれぞれ接続され、パルス出力Ｐ１〜ＰＮが出力バッファ２３を介して、先のマトリックス・ディスプレイ・パネルの複数の電極の各列、すなわち、縦方向の配線に供給される。
【００２６】
（ＰＷＭ発生回路）
ＰＷＭ発生回路２２は、カウンタ２４からの値Ｃとデータラッチ２１からの値Ｄとを受け、これらの値をコンパレータ２５で比較し、その結果に基づき、データラッチ２１に保持された映像信号の各画素の輝度に応じたパルス幅を出力する。
【００２７】
明るい画素は１水平走査期間の開始時期から、終了時点までオンし、暗い画素は１水平走査期間の開始時に短時間オンすることで、マトリックス・ディスプレイ・パネル１５の各画素の発光時間を制御でき、テレビ映像を表示することが可能となる。
【００２８】
＜本発明に係る平面表示装置の動作＞
以上のような構成を有する本発明に係る平面表示装置の動作により、本発明が用いられない場合に生じる映像信号の階調性の劣化を防止することができる。
【００２９】
（階調性の劣化）
本発明に係る平面表示装置のクロックＣＬＫの周波数制御によらず、乗算器を用いてコントラスト等の映像パラメータを調整した場合の、映像信号の階調性の劣化について、図７を用いて言及する。図７は、本発明を用いない場合のコントラストを与える乗算器の一例を示すブロック図である。
【００３０】
図７の（ａ）において、与えられた映像信号を映像処理部で処理した後に、この映像信号をユーザにより設定されたコントラストの変化に応じて、図中の乗算器で乗算処理する場合を考える。このとき、図７の（ｂ）に示すように、×０．５の乗算処理で示される絞込みを行うと、例えば、階調情報の１５０階調は、乗算により７５階調となり、又、階調情報の１５１階調は、乗算により同じく７５階調となる。これは、１５０階調と１５１階調との濃淡が乗算処理によって失われたことを意味する。同様に、３階調や２階調も一律に１階調に変換されてしまう。従って、乗算前の２５６階調は、乗算後には１２８階調の情報しかもっていないことになる。
【００３１】
このような階調情報の劣化は、具体的には、映像の濃淡表現が低下することとなり、例えば、立体感をもって表示されていた人間の顔の丸みも、濃淡情報が低下することで、平板に表示されてしまうということになる。
【００３２】
（本発明に係る平面表示装置の動作）
本発明に係る平面表示装置の動作を、コントラスト・ゲイン・ＡＢＬ設定部１６で、例えば、コントラストを変化させた場合に例をとって以下に説明する。
【００３３】
例えば、図示しないリモコン等でユーザによりコントラストが変更されると、コントラスト・ゲイン・ＡＢＬ設定部１６からこれに応じた値が変換テーブル１７に与えられ、この値に応じた変換値が選択される。この変換値は、図４のＰＬＬ１２のラッチ３６を介してコンパレータ３５に供給される。
【００３４】
コンパレータ３５では、カウンタ３４の値とデータラッチ３６からの値の大小を比較し、一致した場合に一致パルスを出力し、この一致パルスを受ける位相比較器３１は、水平同期信号Ｈｓｙｎｃとコンパレータ３５からの一致パルスの周波数の大小に応じた電圧をＶＣＯ３２へ出力する。
【００３５】
ＶＣＯ３２から位相比較器３１まではフィードバック回路を構成しており、入力の水平同期周波数Ｈｓｙｎｃが高ければ、ＶＣＯ３２の周波数を上げ、水平同期周波数Ｈｓｙｎｃが低ければＶＣＯ３２の周波数を下げるように動く。これにより、常に水平同期周波数Ｈｓｙｎｃの［ＭＡＸ値（２５５）×変換値］倍の周波数のクロックＣＬＫを発振することになる。これにより、コントラスト・ゲイン・ＡＢＬ設定部１６の設定に応じた周波数を有するクロックＣＬＫが、ＰＬＬ１２から出力されることとなる。
【００３６】
具体的には、ＰＬＬ回路の動作を示す図６の（ａ）乃至（ｃ）に示すように、コントラスト値を所定量だけ下げた時、２５５のクロックＣＬＫは一例として３５０のクロックＣＬＫにクロックアップする。又、コントラスト値を所定量だけ上げた時、２５５のクロックＣＬＫは一例として２００のクロックＣＬＫにクロックダウンする。
【００３７】
このように周波数が異なったクロックＣＬＫが与えられるＸドライバ１３のカウンタ２４は、その出力を複数のＰＷＭ発生回路２２にそれぞれ供給する。ＰＷＭ発生回路２２が設けたコンパレータ２５では、カウンタ２４からのデータをＣ入力、データラッチ２１からのデータをＤ入力として、それぞれ入力される。出力の条件は「Ｄ＞Ｃ」の場合、つまりカウンタ２４の値の方がデータラッチの値よりも小さい場合にハイを出力する。これにより、各画素に映像の明るさに応じた時間だけハイの信号が加わり、そのオン期間だけ発光することで、階調の表現が可能となる。
【００３８】
すなわち、図６の（ｂ）に示すように、クロックＣＬＫに大きな値（例えば３５０）をセットすれば、振幅を下げた（コントラストを下げた）状態となり、
図６の（ｃ）に示すように、クロックＣＬＫに小さな値（例えば２００）をセットすれば、振幅を上げた（コントラストを上げた）状態となる。
【００３９】
従って、コントラスト、ゲイン、ＡＰＬ等の映像パラメータの変化に応じて、乗算器等を用いて映像信号の振幅を絞るのではなく、ＰＷＭのクロック周波数を変化させることで、映像信号の階調性能を劣化させることなく、必要な輝度を調節することが可能となる。これにより、映像の階調性を保持しながらもコントラスト等の映像パラメータを調節しながら高画質な映像表現を行うことができる。
【００４０】
＜本発明に係る平面表示装置を用いるテレビジョン装置＞
本発明に係る平面表示装置は、各方面に適用することが可能である。その代表的な例として、図８にその概観を示したテレビジョン装置Ｔを上げることができる。ここで、テレビジョン装置Ｔは、一例として、チューナユニット３７を有しており、放送信号を復調して出力される映像信号と水平同期信号Ｈｓｙｎｃと垂直同期信号とを図１の（ａ）の平面表示装置に供給するものである。又、電源スイッチ３８の横に設けられた設定スイッチ３９から、又は図示しないリモコンから設定することで、コントラスト等の映像パラメータを調整することができ、上述したようにクロックＣＬＫの周波数を変化させることで、映像信号の階調性を損なうことなく高品位な映像表示を行うことができる。
【００４１】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【００４２】
例えば、本発明に係る平面表示装置は、ＬＣＤ（Ｌｉｑｕｉｄ　Ｃｒｙｓｔａｌ　Ｄｉｓｐｌａｙ）、ＥＬ（Ｅｌｅｃｔｒｏ　Ｌｕｍｉｎｅｓｃｅｎｃｅ）、ＦＥＤ（Ｆｉｅｌｄ　Ｅｆｆｅｃｔｉｖｅ　Ｄｉｓｐｌａｙ）、ＳＥＤ（Ｓｕｒｆａｃｅ　Ｃｏｎｄｕｃｔｉｖｅ　Ｔｙｐｅ　Ｅｍｉｓｓｉｏｎ　Ｄｉｓｐｌａｙ）などマトリックス・ディスプレイ・パネルを用いたものであるが、これに限らず、ＰＷＭ制御が可能な表示装置であれば同様の趣旨で適用することが可能となる。
【００４３】
【発明の効果】
以上詳述したように本発明によれば、コントラスト、ゲイン、ＡＢＬ等の映像パラメータ調節を階調性を損なわずに行うことで、高品位な映像表現を可能とする平面表示装置及び平面表示方法とこれを用いるテレビジョン装置を提供する。
【図面の簡単な説明】
【図１】本発明に係る平面表示装置の一例の構造を示すブロック図。
【図２】本発明に係る平面表示装置のＸドライバの一例の構造を示すブロック図。
【図３】本発明に係る平面表示装置のＰＷＭ発生回路の一例の構造を示すブロック図。
【図４】本発明に係る平面表示装置のＰＬＬ回路の一例の構造を示すブロック図。
【図５】本発明に係る平面表示装置の変換テーブルの働きの一例を示すグラフ。
【図６】本発明に係る平面表示装置のＰＬＬ回路の動作の一例を示すタイミングチャート。
【図７】本発明を用いない場合のコントラストを与える乗算器の一例を示すブロック図。
【図８】本発明に係る平面表示装置を用いたテレビジョン装置の一例を示す概観図。
【符号の説明】
１１…映像処理部、１２…ＰＬＬ回路、１３…Ｘドライバ、１４…Ｙドライバ、１５…マトリックス・ディスプレイ・パネル、１６…コントラスト・ゲイン・ＡＢＬ設定部、１７…変換テーブル、１８…輝度色差変換回路。
【図１】
2004037559.tif 000003
【図２】
2004037559.tif 000004
【図３】
2004037559.tif 000005
【図４】
2004037559.tif 000006
【図５】
2004037559.tif 000007
【図６】
2004037559.tif 000008
【図７】
2004037559.tif 000009
【図８】
2004037559.tif 000010